(57)【要約】【課題】遊技媒体貸出装置の貯留タンクに対して遊技媒体を補給する場合の第三者又は店員による不正を正確かつ効率良く検知することを課題とする。【解決手段】ホールコンピュータ１３が、メダル貸し機１１から送信されるＮＥ信号間の売上パルス数を計数し、この売上パルス数が所定の値（例えばメダル補給機１２からの補給枚数が５００枚でメダル貸し機１１からの貸出枚数が５０枚である場合には「１０」となる）以上である場合には不正なしと判定し、メダル補給機１２に対して補給指示信号を送信し、メダル補給機１２がメダル貸し機１１のホッパ１１ａにメダルを自動補給し、売上パルス数が所定の値未満である場合には不正ありと判定し、メダル補給機１２に対する補給指示信号の送信を行うことなくエラー処理を行う。【選択図】        図２
2008073247.tif 000002
【特許請求の範囲】
【請求項１】
遊技機に併設された遊技媒体貸出装置と、該遊技媒体貸出装置からの補給要求に応答して遊技媒体の補給指示を行う管理装置と、前記管理装置からの補給指示に応答して前記遊技媒体貸出装置に補給すべき所定数の遊技媒体を補給処理する遊技媒体補給装置とを有する遊技媒体貸出システムであって、
前記遊技媒体貸出装置は、
前記遊技媒体を貯留する貯留タンクと、
前記貯留タンク内に貯留する遊技媒体数が不足状態又は不足状態に近い状態となった際に、前記管理装置に対して遊技媒体の補給要求を行う補給要求手段と、
所定の遊技媒体貸出操作に応答して所定数の遊技媒体を貸し出す都度、遊技媒体を貸し出した旨を前記管理装置に対して通知する通知手段とを備え、
前記管理装置は、
前記遊技媒体貸出装置からの補給要求から次回の補給要求までの間における前記遊技媒体貸出装置からの遊技媒体の貸出実績に基づいて不正の有無を検知する不正検知手段と、
前記不正検知手段により不正が検知されない場合にのみ、前記遊技媒体補給装置に対して補給指示を行う補給指示手段とを備えた
ことを特徴とする遊技媒体貸出システム。
【請求項２】
前記補給要求手段は、前記貯留タンク内に配設されたニアエンプティセンサによりニアエンプティが検出された際に、前記管理装置に対してニアエンプティ信号を送信して遊技媒体の補給要求を行い、前記通知手段は、所定の遊技媒体貸出操作に応答して所定数の遊技媒体を貸し出した際に、前記管理装置に対して売上パルスを送信して遊技媒体を貸し出した旨を通知し、前記不正検知手段は、前記遊技媒体貸出装置からのニアエンプティ信号の受信から次回のニアエンプティ信号の受信までの間に、該遊技媒体貸出装置から受信した売上パルスに基づいて不正の有無を検知することを特徴とする請求項１に記載の遊技媒体貸出システム。
【請求項３】
前記不正検知手段は、前記遊技媒体補給装置から補給される遊技媒体補給数を前記遊技媒体貸出装置から貸し出される遊技媒体貸出数で除算して基準売上パルス数を算定する基準売上パルス数算定手段と、前記遊技媒体貸出装置からのニアエンプティ信号の受信から次回のニアエンプティ信号の受信までの間に該遊技媒体貸出装置から受信した売上パルスの累計数を計数する計数手段と、前記計数手段により計数された売上パルスの累計数が前記基準売上パルス数算定手段により算定された基準売上パルス数未満である場合には、不正が発生したものと判定し、前記計数手段により計数された売上パルスの累計数が前記基準売上パルス数算定手段により算定された基準売上パルス数以上である場合には、不正が発生していないものと判定する判定手段とを備えたことを特徴とする請求項２に記載の遊技媒体貸出システム。
【請求項４】
前記不正検知手段は、前記遊技媒体補給装置から補給される遊技媒体補給数を前記遊技媒体貸出装置から貸し出される遊技媒体貸出数で除算した値に遊技媒体の単価を乗算して基準売上金額を算定する基準売上金額算定手段と、前記遊技媒体貸出装置からのニアエンプティ信号の受信から次回のニアエンプティ信号の受信までの間に該遊技媒体貸出装置から受信した売上パルスの累計数に遊技媒体の単価を乗算して売上金額を算定する算定手段と、前記算定手段により算定された売上金額が前記基準売上金額算定手段により算定された基準売上金額未満である場合には、不正が発生したものと判定し、前記算定手段により算定された売上金額が前記基準売上金額算定手段により算定された基準売上金額以上である場合には、不正が発生していないものと判定する判定手段とを備えたことを特徴とする請求項２に記載の遊技媒体貸出システム。
【請求項５】
前記不正検知手段は、前記遊技媒体貸出装置からのニアエンプティ信号の受信から次回のニアエンプティ信号の受信までの間に該遊技媒体貸出装置から受信した売上パルスの累計数に遊技媒体の基本貸出数を乗算して累計貸出数を算定する算定手段と、前記算定手段により算定された累計貸出数が前記遊技媒体補給装置から補給される遊技媒体補給数未満である場合には、不正が発生したものと判定し、前記算定手段により算定された累計貸出数が前記遊技媒体補給装置から補給される遊技媒体補給数以上である場合には、不正が発生していないものと判定する判定手段とを備えたことを特徴とする請求項２に記載の遊技媒体貸出システム。
【請求項６】
遊技機に併設されるとともに、遊技媒体を貯留する貯留タンク内に貯留する遊技媒体数が不足状態又は不足状態に近い状態となった際に、管理装置に対して遊技媒体の補給要求を行って遊技媒体補給装置から排出された所定数の遊技媒体の補給を受ける遊技媒体貸出装置であって、
所定の遊技媒体貸出操作に応答して所定数の遊技媒体を貸し出す都度、遊技媒体の貸出回数を計数する計数手段と、
遊技媒体を貯留する貯留タンク内に貯留する遊技媒体数が不足状態又は不足状態に近い状態となるか否かを検知する検知手段と、
前記検知手段により不足状態又は不足状態に近い状態が検知されてから次回の不足状態又は不足状態に近い状態が検知されるまでの間における前記計数手段による遊技媒体の貸出回数に基づいて不正の有無を検知する不正検知手段と、
前記不正検知手段により不正が検知されない場合にのみ、前記管理装置に対して遊技媒体の補給要求を行う補給要求手段と
を備えたことを特徴とする遊技媒体貸出装置。
【請求項７】
遊技機に併設された遊技媒体貸出装置と、該遊技媒体貸出装置からの補給要求に応答して遊技媒体の補給指示を行う管理装置と、前記管理装置からの補給指示に応答して前記遊技媒体貸出装置に補給すべき所定数の遊技媒体を補給処理する遊技媒体補給装置とを有する遊技媒体貸出システムの不正検知方法であって、
前記遊技媒体貸出装置が、前記遊技媒体を貯留する貯留タンク内に貯留する遊技媒体数が不足状態又は不足状態に近い状態となった際に、前記管理装置に対して遊技媒体の補給要求を行う補給要求工程と、
所定の遊技媒体貸出操作に応答して所定数の遊技媒体を貸し出す都度、遊技媒体を貸し出した旨を前記管理装置に対して通知する通知工程と、
前記管理装置が、前記遊技媒体貸出装置からの補給要求から次回の補給要求までの間における前記遊技媒体貸出装置からの遊技媒体の貸出実績に基づいて不正の有無を検知する不正検知工程と、
前記不正検知工程により不正が検知されない場合にのみ、前記遊技媒体補給装置に対して補給指示を行う補給指示工程と
を含んだことを特徴とする遊技媒体貸出システムの不正検知方法。
【発明の詳細な説明】
【技術分野】
【０００１】
本発明は、遊技機に併設された遊技媒体貸出装置と、該遊技媒体貸出装置からの補給要求に応答して遊技媒体の補給指示を行う管理装置と、この管理装置からの補給指示に応答して遊技媒体貸出装置に補給すべき所定数の遊技媒体を補給処理する遊技媒体補給装置とを有する遊技媒体貸出システム及びその不正検知方法に関し、特に、遊技媒体貸出装置の貯留タンクに対して遊技媒体を補給する場合の第三者又は店員による不正を正確かつ効率良く検知することができる遊技媒体貸出システム、遊技媒体貸出装置及び不正検知方法に関する。
【背景技術】
【０００２】
従来、パチンコ機やパチスロ機に併設される遊技媒体貸出装置（以下「台間機」と言う）には、遊技媒体を貯留する貯留タンク（以下「ホッパ」と言う）が設けられており、所定の遊技媒体貸出操作が行われると、この台間機のホッパから遊技媒体が払い出される。この際、この台間機のホッパに貯留する遊技媒体数が所定未満になると、自動補給機から該台間機のホッパに対して遊技媒体を自動補給する遊技媒体自動補給システムが導入されることが多い。
【０００３】
このような遊技媒体自動補給システムを採用すると、悪意のある第三者によるいわゆる「ホッパゴト行為」が行われた場合に、ホッパ内の遊技媒体が第三者により不正に搾取されるだけでなく、自動補給機から自動補給される遊技媒体についても不正に搾取され、遊技店に甚大な被害が生ずる可能性がある。
【０００４】
このため、自動補給機からホッパに遊技媒体を自動補給する場合に、悪意のある第三者による不正行為に対抗する従来技術が知られている。例えば、特許文献１には、遊技媒体を用いて遊技する遊技機と、該遊技機に設けられた貯留タンクであるホッパ内の遊技媒体数が所定未満になると、自動的に遊技媒体を貯留タンクに補給する自動補給機とが組み合わされている場合に、不正行為により遊技媒体の払い出しが行われると、この不正行為が行われた事実を検知して自動補給機からの遊技媒体の自動補給作業を停止させ、もって不正行為を抑止する不正防止装置が開示されている。
【０００５】
具体的には、この特許文献１のものは、ホッパの遊技媒体貯留量センサ信号、遊技機が発する大当り状態信号及び不正電波検知信号等の入力信号を演算することにより、不正が行われているか否かを判定し、不正が行われていると判定した場合には、不正防止装置により不正が行われている遊技機に対する遊技媒体の自動補給を停止するよう構成している。
【０００６】
【特許文献１】特開２００１−１４５７７０号公報
【発明の開示】
【発明が解決しようとする課題】
【０００７】
しかしながら、この特許文献１に代表される不正防止装置を用いたとしても、第三者による不正を適切に検知できなければ不正行為に適切に対処することができないという問題がある。台間機から不正に遊技媒体を搾取するホッパゴトには様々なものがあり、全てのホッパゴトの発生を検知するのは事実上困難であるためである。加えて、今後はさらに新規かつ巧妙なホッパゴトが登場し得ることを考え合わせると、この特許文献１のようにホッパゴトの発生事実を検知することは現実的ではない。
【０００８】
また、上記説明では、第三者のみによる不正行為について説明したが、この第三者が遊技店の従業員と結託して不正行為を行った場合には、さらに不正行為に対する対処が難しくなる。例えば、自動補給機の故障時には、従業員が手作業で台間機に遊技媒体を補給することになるが、かかる場合に従業員がその一部を搾取して第三者に受け渡す不正を行うと、上記特許文献１では不正を検知することができない。
【０００９】
このことから、自動補給機を用いて台間機のホッパに遊技媒体を自動補給する場合に、第三者によるホッパゴト又は店員による不正にいかにして対処するかが重要な課題となっている。なお、台間機のホッパに対して直接遊技媒体を自動補給する自動補給機ではなく、自動補給機から所定数の遊技媒体を補給用スコップに払い出し、従業員がこの補給用スコップを台間機まで運搬して手作業で台間機のホッパに遊技媒体を補給する場合にも同様の課題が生ずる。
【００１０】
この発明は、上記課題（問題点）に鑑みてなされたものであり、遊技媒体貸出装置の貯留タンクに対して遊技媒体を補給する場合の第三者又は店員による不正を正確かつ効率良く検知することができる遊技媒体貸出システム、遊技媒体貸出装置及び不正検知方法を提供することを目的とする。
【課題を解決するための手段】
【００１１】
上述した課題を解決するため、本発明は、遊技機に併設された遊技媒体貸出装置と、該遊技媒体貸出装置からの補給要求に応答して遊技媒体の補給指示を行う管理装置と、前記管理装置からの補給指示に応答して前記遊技媒体貸出装置に補給すべき所定数の遊技媒体を補給処理する遊技媒体補給装置とを有する遊技媒体貸出システムであって、前記遊技媒体貸出装置は、前記遊技媒体を貯留する貯留タンクと、前記貯留タンク内に貯留する遊技媒体数が不足状態又は不足状態に近い状態となった際に、前記管理装置に対して遊技媒体の補給要求を行う補給要求手段と、所定の遊技媒体貸出操作に応答して所定数の遊技媒体を貸し出す都度、遊技媒体を貸し出した旨を前記管理装置に対して通知する通知手段とを備え、前記管理装置は、前記遊技媒体貸出装置からの補給要求から次回の補給要求までの間における前記遊技媒体貸出装置からの遊技媒体の貸出実績に基づいて不正の有無を検知する不正検知手段と、前記不正検知手段により不正が検知されない場合にのみ、前記遊技媒体補給装置に対して補給指示を行う補給指示手段とを備えたことを特徴とする。
【００１２】
また、本発明は、上記発明において、前記補給要求手段は、前記貯留タンク内に配設されたニアエンプティセンサによりニアエンプティが検出された際に、前記管理装置に対してニアエンプティ信号を送信して遊技媒体の補給要求を行い、前記通知手段は、所定の遊技媒体貸出操作に応答して所定数の遊技媒体を貸し出した際に、前記管理装置に対して売上パルスを送信して遊技媒体を貸し出した旨を通知し、前記不正検知手段は、前記遊技媒体貸出装置からのニアエンプティ信号の受信から次回のニアエンプティ信号の受信までの間に、該遊技媒体貸出装置から受信した売上パルスに基づいて不正の有無を検知することを特徴とする。
【００１３】
また、本発明は、上記発明において、前記不正検知手段は、前記遊技媒体補給装置から補給される遊技媒体補給数を前記遊技媒体貸出装置から貸し出される遊技媒体貸出数で除算して基準売上パルス数を算定する基準売上パルス数算定手段と、前記遊技媒体貸出装置からのニアエンプティ信号の受信から次回のニアエンプティ信号の受信までの間に該遊技媒体貸出装置から受信した売上パルスの累計数を計数する計数手段と、前記計数手段により計数された売上パルスの累計数が前記基準売上パルス数算定手段により算定された基準売上パルス数未満である場合には、不正が発生したものと判定し、前記計数手段により計数された売上パルスの累計数が前記基準売上パルス数算定手段により算定された基準売上パルス数以上である場合には、不正が発生していないものと判定する判定手段とを備えたことを特徴とする。
【００１４】
また、本発明は、上記発明において、前記不正検知手段は、前記遊技媒体補給装置から補給される遊技媒体補給数を前記遊技媒体貸出装置から貸し出される遊技媒体貸出数で除算した値に遊技媒体の単価を乗算して基準売上金額を算定する基準売上金額算定手段と、前記遊技媒体貸出装置からのニアエンプティ信号の受信から次回のニアエンプティ信号の受信までの間に該遊技媒体貸出装置から受信した売上パルスの累計数に遊技媒体の単価を乗算して売上金額を算定する算定手段と、前記算定手段により算定された売上金額が前記基準売上金額算定手段により算定された基準売上金額未満である場合には、不正が発生したものと判定し、前記算定手段により算定された売上金額が前記基準売上金額算定手段により算定された基準売上金額以上である場合には、不正が発生していないものと判定する判定手段とを備えたことを特徴とする。
【００１５】
また、本発明は、上記発明において、前記不正検知手段は、前記遊技媒体貸出装置からのニアエンプティ信号の受信から次回のニアエンプティ信号の受信までの間に該遊技媒体貸出装置から受信した売上パルスの累計数に遊技媒体の基本貸出数を乗算して累計貸出数を算定する算定手段と、前記算定手段により算定された累計貸出数が前記遊技媒体補給装置から補給される遊技媒体補給数未満である場合には、不正が発生したものと判定し、前記算定手段により算定された累計貸出数が前記遊技媒体補給装置から補給される遊技媒体補給数以上である場合には、不正が発生していないものと判定する判定手段とを備えたことを特徴とする。
【００１６】
また、本発明は、遊技機に併設されるとともに、遊技媒体を貯留する貯留タンク内に貯留する遊技媒体数が不足状態又は不足状態に近い状態となった際に、管理装置に対して遊技媒体の補給要求を行って遊技媒体補給装置から排出された所定数の遊技媒体の補給を受ける遊技媒体貸出装置であって、所定の遊技媒体貸出操作に応答して所定数の遊技媒体を貸し出す都度、遊技媒体の貸出回数を計数する計数手段と、遊技媒体を貯留する貯留タンク内に貯留する遊技媒体数が不足状態又は不足状態に近い状態となるか否かを検知する検知手段と、前記検知手段により不足状態又は不足状態に近い状態が検知されてから次回の不足状態又は不足状態に近い状態が検知されるまでの間における前記計数手段による遊技媒体の貸出回数に基づいて不正の有無を検知する不正検知手段と、前記不正検知手段により不正が検知されない場合にのみ、前記管理装置に対して遊技媒体の補給要求を行う補給要求手段とを備えたことを特徴とする。
【００１７】
また、本発明は、遊技機に併設された遊技媒体貸出装置と、該遊技媒体貸出装置からの補給要求に応答して遊技媒体の補給指示を行う管理装置と、前記管理装置からの補給指示に応答して前記遊技媒体貸出装置に補給すべき所定数の遊技媒体を補給処理する遊技媒体補給装置とを有する遊技媒体貸出システムの不正検知方法であって、前記遊技媒体貸出装置が、前記遊技媒体を貯留する貯留タンク内に貯留する遊技媒体数が不足状態又は不足状態に近い状態となった際に、前記管理装置に対して遊技媒体の補給要求を行う補給要求工程と、所定の遊技媒体貸出操作に応答して所定数の遊技媒体を貸し出す都度、遊技媒体を貸し出した旨を前記管理装置に対して通知する通知工程と、前記管理装置が、前記遊技媒体貸出装置からの補給要求から次回の補給要求までの間における前記遊技媒体貸出装置からの遊技媒体の貸出実績に基づいて不正の有無を検知する不正検知工程と、前記不正検知工程により不正が検知されない場合にのみ、前記遊技媒体補給装置に対して補給指示を行う補給指示工程とを含んだことを特徴とする。
【発明の効果】
【００１８】
本発明によれば、遊技媒体貸出装置が、遊技媒体を貯留する貯留タンク内に貯留する遊技媒体数が不足状態又は不足状態に近い状態となった際に、管理装置に対して遊技媒体の補給要求を行うとともに、所定の遊技媒体貸出操作に応答して所定数の遊技媒体を貸し出す都度、遊技媒体を貸し出した旨を管理装置に対して通知し、管理装置が、遊技媒体貸出装置からの補給要求から次回の補給要求までの間における遊技媒体貸出装置からの遊技媒体の貸出実績に基づいて不正の有無を検知し、不正が検知されない場合にのみ、遊技媒体補給装置に対して補給指示を行うよう構成したので、第三者によって新たなホッパゴトの手口で不正が行われた場合や第三者と店員とが共謀して不正を行った場合であっても、その不正の事実を効率的かつ適正に把握して、遊技媒体の搾取に係る遊技店の損害を防止することができる。
【００１９】
また、本発明によれば、貯留タンク内に配設されたニアエンプティセンサによりニアエンプティが検出された際に、管理装置に対してニアエンプティ信号を送信して遊技媒体の補給要求を行い、所定の遊技媒体貸出操作に応答して所定数の遊技媒体を貸し出した際に、管理装置に対して売上パルスを送信して遊技媒体を貸し出した旨を通知し、遊技媒体貸出装置からのニアエンプティ信号の受信から次回のニアエンプティ信号の受信までの間に、該遊技媒体貸出装置から受信した売上パルスに基づいて不正の有無を検知するよう構成したので、従来より遊技媒体貸出装置から管理装置に送信されているニアエンプティ信号及び売上パルスを用いて、効率的かつ迅速に不正の事実を把握して、遊技媒体の搾取に係る遊技店の損害を防止することができる。
【００２０】
また、本発明によれば、遊技媒体補給装置から補給される遊技媒体補給数を遊技媒体貸出装置から貸し出される遊技媒体貸出数で除算して基準売上パルス数を算定し、遊技媒体貸出装置からのニアエンプティ信号の受信から次回のニアエンプティ信号の受信までの間に該遊技媒体貸出装置から受信した売上パルスの累計数を計数し、計数された売上パルスの累計数が基準売上パルス数未満である場合には、不正が発生したものと判定し、計数された売上パルスの累計数が基準売上パルス数以上である場合には、不正が発生していないものと判定するよう構成したので、売上パルスの累計数という指標を用いて効率良く不正の事実を把握することができる。
【００２１】
また、本発明によれば、遊技媒体補給装置から補給される遊技媒体補給数を遊技媒体貸出装置から貸し出される遊技媒体貸出数で除算した値に遊技媒体の単価を乗算して基準売上金額を算定し、遊技媒体貸出装置からのニアエンプティ信号の受信から次回のニアエンプティ信号の受信までの間に該遊技媒体貸出装置から受信した売上パルスの累計数に遊技媒体の単価を乗算して売上金額を算定し、算定された売上金額が基準売上金額未満である場合には、不正が発生したものと判定し、算定された売上金額が基準売上金額以上である場合には、不正が発生していないものと判定するよう構成したので、管理装置が本来取り扱う売上金額という指標を流用して効率良く不正の事実を把握することができる。
【００２２】
また、本発明によれば、遊技媒体貸出装置からのニアエンプティ信号の受信から次回のニアエンプティ信号の受信までの間に該遊技媒体貸出装置から受信した売上パルスの累計数に遊技媒体の基本貸出数を乗算して累計貸出数を算定し、累計貸出数が遊技媒体補給装置から補給される遊技媒体補給数未満である場合には、不正が発生したものと判定し、累計貸出数が遊技媒体補給装置から補給される遊技媒体補給数以上である場合には、不正が発生していないものと判定するよう構成したので、遊技媒体数という厳正な指標を用いて効率良く不正の事実を把握することができる。
【００２３】
また、本発明によれば、所定の遊技媒体貸出操作に応答して所定数の遊技媒体を貸し出す都度、遊技媒体の貸出回数を計数し、遊技媒体を貯留する貯留タンク内に貯留する遊技媒体数が不足状態又は不足状態に近い状態となるか否かを検知し、不足状態又は不足状態に近い状態が検知されてから次回の不足状態又は不足状態に近い状態が検知されるまでの間における遊技媒体の貸出回数に基づいて不正の有無を検知し、不正が検知されない場合にのみ、管理装置に対して遊技媒体の補給要求を行うよう構成したので、第三者によって新たなホッパゴトの手口で不正が行われた場合や第三者と店員とが共謀して不正を行った場合であっても、その不正の事実を効率的かつ適正に把握して、遊技媒体の搾取に係る遊技店の損害を防止することができる。
【発明を実施するための最良の形態】
【００２４】
以下に添付図面を参照して、本発明に係る遊技媒体貸出システム、遊技媒体貸出装置及び不正検知方法の好適な実施例を詳細に説明する。以下に示す実施例１では、遊技店の売上等の管理を行うホールコンピュータにおいて不正を検出する場合を示し、実施例２では、遊技媒体貸出装置単体で不正を検出する場合を示すこととする。なお、これらの実施例では、遊技媒体としてパチスロ遊技で利用するメダルを対象とした場合を示すこととするが、本発明はパチンコ玉等の他の遊技媒体を対象とする場合に適用することもできる。
【実施例１】
【００２５】
まず、本実施例１に係るメダル貸出システムのシステム構成について説明する。図１は、本実施例１に係るメダル貸出システムのシステム構成を示す図である。同図に示すように、このメダル貸出システムは、パチスロ機１０に併設されたメダル貸し機１１と、メダル補給機１２と、ホールコンピュータ１３とが通信回線を介して接続された構成となる。
【００２６】
パチスロ機１０は、遊技媒体であるメダルを用いたパチスロ遊技を提供する遊技機であり、遊技客がメダル投入口に例えば３枚のメダルを投入してスタートレバーを操作すると、３つのドラムが回動を開始し、停止ボタン操作に応答してドラムを停止させると、停止したドラム上の絵柄に応じてメダルを払い出すものである。
【００２７】
メダル貸し機１１は、パチスロ機１０で利用されるメダルを貸し出す台間機であり、その内部にメダル貯留用タンク（以下「ホッパ」と言う）１１ａを有する。遊技客が、紙幣投入口に１０００円札を投入するメダル貸し操作を行うと、このホッパ１１ａ内に貯留するメダルのうち所定枚数（例えば１０００円分のメダル貸し操作が行われた場合に５０枚）のメダルがノズルを介してパチスロ機１０の受け皿に投出されることになる。なお、ここでは紙幣挿入口への１０００円紙幣の投入するメダル貸し操作を対象とするが、プリペイドカードをカード挿入口に挿入した状態でメダル貸しボタンを押下操作するメダル貸し操作を対象とすることもできる。
【００２８】
メダル貸し機１１のホッパ１１ａには、ニアエンプティセンサが設けられており、このニアエンプティセンサによりニアエンプティが検知されると、ニアエンプティ信号（以下「ＮＥ信号」と言う）がホールコンピュータ１３に送信される。このＮＥ信号は、ホッパ１１ａ内のメダルが不足状態に近い状態を意味するが、併せてメダル補給要求の意味合いも有することになる。
【００２９】
メダル補給機１２は、メダル補給路１２ａを介してメダル貸し機１１のホッパ１１ａに対してメダルを自動補給する補給機であり、具体的には、ホールコンピュータ１３から補給指示信号を受け付けると、該当するメダル貸し機１１のホッパ１１ａに対して所定枚数（例えば５００枚）のメダルを自動補給する。
【００３０】
ホールコンピュータ１３は、遊技店内に配設された各メダル貸し機１１及びパチスロ機１０から送信される信号に基づいて売上げ管理等を行う管理装置であり、併せてメダル貸し機１１からＮＥ信号を受信した場合には、メダル補給機１２に対して補給指示信号を送信して該当するメダル貸し機１１にメダルを補給させる。
【００３１】
ここで、このホールコンピュータ１３は、従来のように単にＮＥ信号に応答してメダル補給機１２に補給指示信号を送信するのではなく、第三者又は店員による不正を検知する不正検知処理を行ない、不正が検知されない場合にのみメダル補給機１２に補給指示信号を送信することになる。
【００３２】
次に、図１に示したメダル貸し機１１へのメダル補給手順について説明する。図２は、図１に示したメダル貸し機１１へのメダル補給手順を説明するための説明図である。同図に示すように、メダル貸し機１１は、メダル貸出操作に応答してメダルを貸し出す都度ホールコンピュータ１３に対して売上パルス（１パルス／５０枚）を送信するとともに、ホッパ１１ａ内のメダルがニアエンプティになると、ホールコンピュータ１３に対してＮＥ信号を送信する。
【００３３】
このＮＥ信号を受信したホールコンピュータ１３は、ＮＥ信号間の売上パルスの回数に基づいて不正の有無を検知し、不正が検知されない場合には、メダル補給機１２に対して補給指示信号を送信する。そして、この補給指示信号を受信したメダル補給機１２は、該当するメダル貸し機１１のホッパ１１ａに対して所定枚数（例えば５００枚）のメダルを自動補給することになる。
【００３４】
つまり、メダル貸し機１１のホッパ１１ａは、メダル貸出操作に応答して５０枚のメダルを払い出すため５０枚単位で貯留メダル数が減少し、その貯留メダル数がニアエンプティよりも少なくなると、メダル補給機１２からメダル５００枚が自動補給される。その後、メダル貸出操作に応答して５０枚単位でメダルが減少することになる。
【００３５】
図３−１は、不正が発生しない状況でのメダル貸し機１１のホッパ１１ａに貯留したメダル枚数の推移を示す図であり、図３−２は不正が発生した状況でのメダル貸し機１１のホッパ１１ａに貯留したメダル枚数の推移を示す図である。ここでは、１回のメダル貸出操作に応答して貸し出されるメダル貸出枚数が５０枚であり、１回のメダル補給枚数が５００枚であるとしている。
【００３６】
図３−１に示すように、時刻ｔ１の時点でホッパ１１ａ内のメダルがニアエンプティ（ＮＥ）以下になると、ホールコンピュータ１３にＮＥ信号が送信され、メダル補給機１２から５００枚のメダルがホッパ１１ａ内に自動補給される。このため、不正が行われていない場合には、次にニアエンプティが検知されるまでに５００枚÷５０枚／回＝１０回のメダル貸出が可能になる。
【００３７】
これに対して、図３−２に示すように、メダルの自動補給後の６回目のメダル貸出時に第三者による不正なホッパゴトが行われた場合には、時刻ｔ３の時点（６回目のメダル貸出時）でホッパ１１ａがニアエンプティとなる。つまり、本来ニアエンプティを検知してから次のニアエンプティを検知するまでに１０回のメダル貸出ができるはずであるにも係わらず６回のメダル貸出しか行えないことになる。
【００３８】
同様に、メダル補給機１２から５００枚のメダルを自動補給すべきところを店員がその一部である２００枚を搾取した場合にも、３００枚÷５０枚／回＝６回しかメダル貸し出しができないことになる。メダル補給機１２による自動補給時に店員がメダルを搾取することは比較的難しいが、メダル補給路１２ａ等に障害が発生した場合には、メダル補給機１２から払い出したメダルをメダル補給用スコップを用いて手作業で補給する状況となるため、かかる場合に店員によるメダルの搾取が問題となるのである。
【００３９】
以上のことから、本実施例１に係るメダル貸出システムでは、ホールコンピュータ１３が一旦ＮＥ信号を受信してから次回のＮＥ信号を受信するまでの間に、メダル貸し機１１から受信した売上パルスの回数を計数し、この売上パルスの回数が所定数（例えば１０回）未満である場合には不正が発生したものと判定し、１０回以上である場合には不正が発生しないものと判定することとしている。なお、１０回ではなく１０回以上とした理由は、ホッパ１１ａ内に貯留するメダルの枚数を正確に検知することは難しく、ニアエンプティを検知した時点でのメダル枚数には誤差が生ずるためである。この誤差を考慮して、９回以上である場合には不正が発生せず、８回以下である場合に不正が発生したものと判定することもできる。
【００４０】
次に、図１に示したホールコンピュータ１３の構成について説明する。図４は、図１に示したホールコンピュータ１３の構成を示す機能ブロック図である。同図に示すように、このホールコンピュータ１３は、入力部１３１と、表示部１３２と、インターフェース部１３３と、記憶部１３４と、制御部１３５とを有する。
【００４１】
入力部１３１は、キーボードやマウス等の入力デバイスであり、表示部１３２は、ディスプレイや液晶パネル等の表示デバイスである。インターフェース部１３３は、メダル貸し機１１及びメダル補給機１２との間で通信を行うためのインターフェース部であり、具体的には、メダル貸し機１１からＮＥ信号及び売上パルスを受信し、メダル補給機１２に対して補給指示信号を送信する。
【００４２】
記憶部１３４は、ハードディスク装置や不揮発性メモリからなる記憶デバイスであり、売上管理データ１３４ａ及び補給管理データ１３４ｂを記憶する。売上管理データ１３４ａは、パチスロ機１０及びメダル貸し機１１ごとの売上データであり、補給管理データ１３４ｂは、メダル補給機１２からの各メダル貸し機１１に対する補給履歴データである。
【００４３】
制御部１３５は、ホールコンピュータ１３全体を制御する制御部であり、売上管理部１３５ａ、補給管理部１３５ｂ及び不正検知処理部１３５ｃを有する。売上管理部１３５ａは、記憶部１３４に記憶した売上管理データ１３４ａを用いて遊技店全体、島毎又はパチスロ機毎の売上を管理する管理部であり、これらの売上データを時間毎、日毎、週毎又は月毎に集計処理する機能も有する。
【００４４】
補給管理部１３５ｂは、記憶部１３４に記憶した補給管理データ１３４ｂを用いて各メダル貸し機１１に対するメダルの補給実績を管理する管理部である。この補給管理部１３５ｂは、メダル貸し機１１からＮＥ信号を受信したならば、メダル補給機１２に対して該メダル貸し機１１にメダル補給するよう補給指示信号を送信する。
【００４５】
不正検知処理部１３５ｃは、第三者又は店員によるメダルの搾取に係る不正を検知する本発明に係る処理部である。具体的には、ホールコンピュータ１３が一旦ＮＥ信号を受信してから次回のＮＥ信号を受信するまでの間に、メダル貸し機１１から受信した売上パルスの回数を計数し、この売上パルスの回数が所定数（例えば１０回）未満である場合には不正が発生したものと判定し、１０回以上である場合には不正が発生しないものと判定する。
【００４６】
次に、図１に示したホールコンピュータ１３による不正検知手順について具体的に説明する。図５は、図１に示したホールコンピュータ１３による不正検知手順を示すフローチャートである。なお、ここでは説明の便宜上、メダル貸し機１１における処理についても併せて説明することとする。
【００４７】
同図に示すように、まずホールコンピュータ１３は、ＮＥ信号を受信してから次のＮＥ信号を受信するまでの売上パルスの累計値を計数する売上パルスカウンタＣを「０」に初期化する（ステップＳ１０１）。
【００４８】
その後、メダル貸し機１１は、１０００円分のメダルを貸し出すメダル貸出操作を受け付けたならば（ステップＳ１０２肯定）、５０枚のメダルをホッパ１１ａから払い出すメダル貸出処理を行い（ステップＳ１０３）、売上パルスを１パルスホールコンピュータ１３に送信する（ステップＳ１０４）。なお、メダル貸出機１１が、かかるメダル貸出操作を受け付けない場合には（ステップＳ１０２否定）、上記ステップＳ１０３〜Ｓ１０４の処理を行わない。
【００４９】
そして、ホールコンピュータ１３が、メダル貸し機１１から売上パルスを受信したならば（ステップＳ１０５肯定）、売上パルスカウンタに「１」を加えるインクリメントを行うとともに（ステップＳ１０６）、この売上パルス分すなわち１０００円分の売上額を加算する売上金額更新処理を行う（ステップＳ１０７）。なお、ホールコンピュータ１３が、かかる売上パルスを受信しない場合には（ステップＳ１０５否定）、上記ステップＳ１０６〜Ｓ１０７の処理は行わない。
【００５０】
また、メダル貸し機１１がホッパ１１ａに設けたニアエンプティセンサでニアエンプティを検知した場合は（ステップＳ１０８肯定）、ホールコンピュータ１３に対してＮＥ信号を送信する（ステップＳ１０９）。
【００５１】
そして、ホールコンピュータ１３が、メダル貸し機１１からＮＥ信号を受信したならば（ステップＳ１１１肯定）、売上パルスカウンタＣの値が所定のしきい値α以上であるか否かを調べる（ステップＳ１１２）。このしきい値αは、メダル補給機１２から１回でメダル補給される枚数をメダル貸し機１１から１回のメダル貸出操作に応答してメダルを貸し出す貸出枚数で除算した商であり、例えばメダル補給機１２から５００枚を補給し、メダル貸し機１１から５０枚を貸し出す場合には「α＝５００÷５０＝１０」となる。
【００５２】
そして、売上パルスカウンタＣの値が所定のしきい値α以上（Ｃ≧α）である場合には（ステップＳ１１２肯定）、不正が行われていないと判定して、メダル補給機１２に対して補給指示信号を送信し（ステップＳ１１３）、売上パルスカウンタＣを「０」に初期化する（ステップＳ１１４）。なお、この補給指示信号には、メダル補給対象となるメダル貸し機１１のＩＤが含まれる。
【００５３】
これに対して、売上パルスカウンタＣの値が所定のしきい値α未満（Ｃ＜α）である場合には（ステップＳ１１２否定）、不正が行われたものと判定して、メダル補給機１２に対する補給指示信号の送信を行うことなくエラー処理を行う（ステップＳ１１５）。このエラー処理としては、表示部１３２への「不正発生」の表示や遊技店の管理者への「不正発生」の通知が該当する。なお、ホールコンピュータ１３が、ＮＥ信号を受信しない場合には（ステップＳ１１１否定）、上記ステップＳ１１２〜Ｓ１１５の処理は行わない。
【００５４】
メダル貸し機１１は、上記ステップＳ１０２〜Ｓ１０４、Ｓ１０８〜Ｓ１０９の処理を電源が断にされ処理を終了するまで繰り返し（ステップＳ１１０）、ホールコンピュータ１３は、上記ステップＳ１０５〜Ｓ１０７、Ｓ１１１〜Ｓ１１５の処理を電源が断にされ処理を終了するまで繰り返す（ステップＳ１１６）。
【００５５】
上記一連の処理を行うことにより、ＮＥ信号間の売上パルス数（売上パルスカウンタＣ）がしきい値α以上であれば不正なしと判定し、ＮＥ信号間の売上パルス数（売上パルスカウンタＣ）がしきい値α未満であれば不正ありと判定することができる。
【００５６】
上述してきたように、本実施例１では、ホールコンピュータ１３が、メダル貸し機１１から送信されるＮＥ信号間の売上パルス数を計数し、この売上パルス数が所定の値（例えばメダル補給機１２からの補給枚数が５００枚でメダル貸し機１１からの貸出枚数が５０枚である場合には「１０」となる）以上である場合には不正なしと判定し、メダル補給機１２に対して補給指示信号を送信し、メダル補給機１２がメダル貸し機１１のホッパ１１ａにメダルを自動補給し、売上パルス数が所定の値未満である場合には不正ありと判定し、メダル補給機１２に対する補給指示信号の送信を行うことなくエラー処理を行うよう構成したので、第三者によって新たなホッパゴトの手口で不正が行われた場合や第三者と店員とが共謀して不正を行った場合であっても、その不正の事実を効率的かつ適正に把握して、メダルの不正搾取に係る遊技店の損害を防止することができる。
【００５７】
なお、上記実施例１では、メダル５０枚すなわち１０００円分のメダル貸出に応答して１パルスの売上パルスを送信することとしたが、本発明はこれに限定されるものではなく、例えば１００円ごとに１パルスの売上パルスを送信する場合に適用することもできる。この場合にはしきい値を１０×αとすれば良い。
【００５８】
また、上記実施例１では、「ＮＥ信号間の売上パルスの回数」を指標として不正検知処理を行う場合を示したが、本発明はこれに限定されるものではなく、「ＮＥ信号間の売上金額」を指標として不正検知処理を行うこともできる。具体的には、ＮＥ信号間の売上パルスの回数Ｃにメダル貸出処理１回あたりの売上金額を掛けた総売上金額を算定し、この総売上金額とメダル補給機１２から補給されるメダル数に相当する金額（β）（若しくはこのβに誤差を加味した値）とを比較して、総売上金額がβ以上であれば不正なしと判定し、総売上金額がβ未満であれば不正ありと判定することができる。
【００５９】
さらに、「ＮＥ信号間のメダル枚数」を指標として不正検知処理を行うこともできる。具体的には、ＮＥ信号間の売上パルスの回数Ｃにメダル貸出処理１回あたりのメダル枚数を掛けた総貸しメダル枚数を算定し、この総貸しメダル枚数とメダル補給機１２から補給されるメダル数（γ）（若しくはこのγに誤差を加味した値）とを比較して、総貸しメダル枚数がγ以上であれば不正なしと判定し、総貸しメダル枚数がγ未満であれば不正ありと判定することができる。
【実施例２】
【００６０】
ところで、上記実施例１では、ホールコンピュータ１３で不正検知処理を行うこととしたが、かかる不正検知処理はメダル補給機１２やメダル貸し機１１で行うこともできる。そこで、以下に示す実施例２では、メダル貸し機１１で不正検知処理を行う場合を示すこととする。
【００６１】
まず、本実施例２に係る不正検知処理の流れについて説明する。図６は、本実施例２に係る不正検知処理の流れを説明するための説明図である。同図に示すように、ここではホールコンピュータ１３で不正検知処理を行うこととした上記実施例１とは異なり、メダル貸し機２１単体で不正検知処理を行うこととしている。
【００６２】
具体的には、メダル貸し機２１がニアエンプティを検知したならば、ニアエンプティ発生間のメダル貸出回数を計数し、この計数結果が所定のしきい値以上であるか否かを判定し、所定のしきい値以上であれば不正なしと判定してホールコンピュータ２２に対してＮＥ信号を送信する。このＮＥ信号を受信したホールコンピュータ２２は、このＮＥ信号に応答してメダル補給機１２に対して補給指示信号を送信し、この補給指示信号を受信したメダル補給機１２はメダル貸し機２１に対してメダルの自動補給を行う。
【００６３】
これに対して、メダル貸出回数が所定のしきい値未満である場合には不正ありと判定してホールコンピュータ２２に対して不正検知信号を送信し、この不正検知信号を受信したホールコンピュータ２２は、表示部上に不正発生を表示する。
【００６４】
このように、本実施例２では、メダル貸し機２１内部でニアエンプティ間のメダル貸出回数を計数しておき、本来の回数分メダル貸出ができれば不正なしと判定し、本来の回数分メダル貸出ができなければ不正ありと判定することになる。すなわち、ここで言うメダル貸出回数は、上記実施例１の売上パルス数と同様な意味を持つことになる。
【００６５】
次に、図６に示したメダル貸し機２１の構成について説明する。図７は、図６に示したメダル貸し機２１の構成を示す機能ブロック図である。同図に示すように、このメダル貸し機２１は、操作部２１１と、表示部２１２と、インターフェース部２１３及び２１４と、ホッパ２１５と、メダル投出機構部２１６と、現金処理ユニット２１７と、制御部２１８とを有する。なお、プリペイドカード対応にする際には、プリペイドカードに係る処理を行うプリペイドカード処理部が設けられる。
【００６６】
操作部２１１は、メダル貸し機２１の筐体表面に配設される各種ボタン及びスイッチ等の操作部であり、例えば１００００円等の高額紙幣を受け入れて１０００円単位でメダル貸しする場合のメダル貸しボタン等が該当する。表示部２１２は、ＬＥＤ及び液晶パネル等の表示デバイスであり、例えばメダル貸出中状態を表示するＬＥＤや残額又は残度数表示を行う７ＳＥＧのＬＥＤ等が該当する。
【００６７】
インターフェース部２１３は、ホールコンピュータ２２と通信するためのインターフェース部であり、具体的には、ホールコンピュータ２２に対してＮＥ信号又は不正検知信号を送信する。インターフェース部２１４は、併設するパチスロ機と通信するためのインターフェース部である。
【００６８】
ホッパ２１５は、実施例１に示したホッパ１１ａと同様にメダルを貯留する貯留タンクであり、ニアエンプティを検知するニアエンプティセンサが設けられている。このホッパ２１５には、メダル補給機１２からメダルが自動補給される。
【００６９】
メダル投出機構部２１６は、メダル貸し操作が行われた場合にホッパ２１５から所定枚数のメダルをノズルを介してパチスロ機の受け皿に投出する機構部である。現金処理ユニット２１７は、図示しない紙幣投入口から投入された紙幣の種別判定、紙幣搬送及び紙幣回収等の処理を行うビルバリユニットである。
【００７０】
制御部２１８は、メダル貸し機２１を全体制御する制御部であり、メダル貸出処理部２１８ａ及び不正検知処理部２１８ｂを有する。メダル貸出処理部２１８ａは、所定のメダル貸出操作がなされた際にホッパ２１５から所定枚数のメダルを投出するようメダル投出機構部２１６に指示する処理部である。
【００７１】
不正検知処理部２１８ｂは、図４に示した不正検知処理部１３５ｃに対応するものであり、ニアエンプティ間のメダル貸出回数に基づいて不正判定を行う。具体的には、一旦ニアエンプティを検知してから次回のニアエンプティを検知するまでの間のメダル貸出回数を計数し、このメダル貸出回数が所定数（例えば１０回）未満である場合には不正が発生したものと判定し、１０回以上である場合には不正が発生しないものと判定する。
【００７２】
次に、図７に示したメダル貸し機２１の処理手順について説明する。図８は、図７に示したメダル貸し機２１の処理手順を示すフローチャートである。同図に示すように、まず、メダル貸し機２１はメダル貸出回数を計数するための貸出回数カウンタＤを「０」に初期化する（ステップＳ２０１）。
【００７３】
そして、メダル貸出操作を受け付けたならば（ステップＳ２０２肯定）、ホッパ２１５から所定枚数のメダルをパチスロ機の受け皿に投出するメダル貸出処理を行うとともに（ステップＳ２０３）、貸出回数カウンタＤに「１」を加算するインクリメントを行う（ステップＳ２０４）。なお、メダル貸出操作を受け付けない場合には（ステップＳ２０２否定）、上記ステップＳ２０３〜Ｓ２０４の処理は行わない。
【００７４】
また、ニアエンプティセンサによりニアエンプティを検知した場合には（ステップＳ２０５肯定）、この貸出回数カウンタＤの値が所定のしきい値α以上であるか否かを確認する（ステップＳ２０６）。このしきい値αは、メダル補給機１２から１回でメダル補給される枚数をメダル貸し機１１から１回のメダル貸出操作に応答してメダルを貸し出す貸出枚数で除算した商であり、例えばメダル補給機１２から５００枚を補給し、メダル貸し機１１から５０枚を貸し出す場合には「α＝５００÷５０＝１０」となる。
【００７５】
そして、貸出回数カウンタＤの値が所定のしきい値α以上（Ｄ≧α）である場合には（ステップＳ２０６肯定）、不正が行われていないと判定して、ホールコンピュータ２２にＮＥ信号を送信するとともに（ステップＳ２０７）、貸出回数カウンタＤを「０」に初期化する（ステップＳ２０８）。
【００７６】
これに対して、貸出回数カウンタＤの値が所定のしきい値α未満（Ｄ＜α）である場合には（ステップＳ２０６否定）、不正が行われたものと判定して、ホールコンピュータ２２に不正検知信号を送信する（ステップＳ２０９）。上記ステップＳ２０２〜Ｓ２０９の処理を電源を断にして処理を終了するまで繰り返す（ステップＳ２１０否定）。
【００７７】
上述してきたように、本実施例２では、メダル貸し機２１においてニアエンプティ間のメダル貸出回数に基づいて不正の有無を検知し、不正がない場合にはホールコンピュータ２２にＮＥ信号を送信し、不正がある場合にはホールコンピュータ２２に不正検知信号を送信するよう構成したので、ホールコンピュータ２２等の既存設備を変えることなくメダル貸し機単体で効率良く不正を検知することができる。
【００７８】
なお、上記実施例１及び２では、パチスロ機で利用されるメダルを補給対象とした場合を示したが、本発明はこれに限定されるものではなく、パチンコ機で利用されるパチンコ玉を補給対象とする場合に適用することもできる。
【００７９】
また、上記実施例１及び２では、メダル補給機１２によりメダル貸し機内のホッパにメダルを自動補給する場合を示したが、本発明はこれに限定されるものではなく、メダル補給機１２から所定枚数のメダルをメダル用スコップに払い出し、従業員がこのメダル用スコップを持参してメダル貸し機の場所まで赴き、手作業でメダル用スコップ内のメダルをメダル貸し機のメダルホッパに供給する場合に適用することもできる。
【００８０】
さらに、上記実施例１及び２では、ニアエンプティの検知をトリガとする場合を示したが、本発明はこれに限定されるものではなくエンプティの検知をトリガとすることもできる。
【００８１】
また、上記実施例１及び２では、説明の便宜上、その詳細な説明を省略したが適切な誤差を考慮する必要がある。ホッパ内に貯留されるメダルは、整然と並べられている訳ではないので、ニアエンプティとして検知する際のメダル数が一定ではないからである。
【産業上の利用可能性】
【００８２】
本発明にかかる遊技媒体貸出システム、遊技媒体貸出装置及び不正検知方法は、遊技媒体貸出装置の貯留タンクに対して遊技媒体を補給する場合の第三者又は店員による不正を正確かつ効率良く検知する場合に有用である。
【図面の簡単な説明】
【００８３】
【図１】本実施例１に係るメダル貸出システムのシステム構成を示す図である。
【図２】図１に示したメダル貸し機へのメダル補給手順を説明するための説明図である。
【図３−１】不正が発生しない状況でのメダル貸し機のホッパに貯留したメダル枚数の推移を示す図である。
【図３−２】不正が発生した状況でのメダル貸し機のホッパに貯留したメダル枚数の推移を示す図である。
【図４】図１に示したホールコンピュータの構成を示す機能ブロック図である。
【図５】図１に示したホールコンピュータによる不正検知手順を示すフローチャートである。
【図６】本実施例２に係る不正検知処理の流れを説明するための説明図である。
【図７】図６に示したメダル貸し機の構成を示す機能ブロック図である。
【図８】図７に示したメダル貸し機の処理手順を示すフローチャートである。
【符号の説明】
【００８４】
１０  パチスロ機
１１  メダル貸し機
１１ａ  ホッパ
１２  メダル補給機
１２ａ  メダル補給路
１３  ホールコンピュータ
１３１  入力部
１３２  表示部
１３３  インターフェース部
１３４  記憶部
１３４ａ  売上管理データ
１３４ｂ  補給管理データ
１３５  制御部
１３５ａ  売上管理部
１３５ｂ  補給管理部
１３５ｃ  不正検知処理部
２１  メダル貸し機
２１１  操作部
２１２  表示部
２１３，２１４  インターフェース部
２１５  ホッパ
２１６  メダル投出機構部
２１７  現金処理ユニット
２１８  制御部
２１８ａ  メダル貸出処理部
２１８ｂ  不正検出処理部
２２  ホールコンピュータ
【図１】
2008073247.tif 000003
【図２】
2008073247.tif 000004
【図３−１】
2008073247.tif 000005
【図３−２】
2008073247.tif 000006
【図４】
2008073247.tif 000007
【図５】
2008073247.tif 000008
【図６】
2008073247.tif 000009
【図７】
2008073247.tif 000010
【図８】
2008073247.tif 000011